(57)【要約】【課題】  記録可能な情報記録媒体に対し、他の情報記録媒体のデータ内容が不正にコピーされることを有効に防止する。【解決手段】  ＤＶＤ−ＲＷのリードイン領域にはコントロールデータ領域が含まれ、１９２ＥＣＣブロックにわたって同一のデータ構造を有し、各ＥＣＣブロックは１６個のセクタ（セクタ０〜セクタ１５）から構成され、さらに各セクタは２６個のシンクフレーム（ＳＦ１〜ＳＦ２６）から構成される。セクタ０のＳＦ１の１６バイト目をリンクスタートＳＰとし、セクタ２のＳＦ９の１５バイト目をリンクエンドポイントＥＰとして、プリ記録エリアが定められ、ここに例えばオールゼロであるプリ記録データを記録する。ＤＶＤ−ＲＷの場合、このプリ記録データをエンボスピット列として形成するので、それ以降は別のデータを上書きすることができなくなる。そのため、スクランブルのキーデータ等、再生制御に必要な情報のコピーが不可能となり、不正コピーが有効に防止される。【選択図】  図１
2004296084.tif 000002
【特許請求の範囲】
【請求項１】
記録情報を記録可能なウォブリングが施された記録トラックを備える情報記録媒体を製造するためのスタンパディスクを形成する情報記録媒体製造装置であって、
前記スタンパディスク上の所定領域にウォブリングが施されたエンボスピット列を形成するエンボスピット列形成手段と、
前記所定領域における前記エンボスピット列のウォブリング振幅を前記所定領域外における前記記録トラックのウォブリング振幅よりも大に設定するウォブリング振幅設定手段と、
を備えることを特徴とする情報記録媒体製造装置。
【請求項２】
前記所定領域は、前記情報記録媒体に記録される記録情報と同一フォーマットで情報が記録されている再生専用記録媒体における再生制御情報の記録領域に対応する領域を含むことを特徴とする請求項１に記載の情報記録媒体製造装置。
【請求項３】
前記所定領域及び前記再生制御情報の記録領域はリードインエリア内であることを特徴とする請求項２に記載の情報記録媒体製造装置。
【請求項４】
前記再生専用記録媒体はＤＶＤ−ＲＯＭであり、前記情報記録媒体はＤＶＤ−ＲＷであることを特徴とする請求項２に記載の情報記録媒体製造装置。
【請求項５】
前記再生制御情報は、コントロールデータ領域の各ＥＣＣブロック内に含まれるディスク製造情報であることを特徴とする請求項２に記載の情報記録媒体製造装置。
【請求項６】
記録情報を記録可能なウォブリングが施された記録トラックを備える情報記録媒体を製造するためのスタンパディスクを形成する情報記録媒体製造方法であって、
前記スタンパディスク上の所定領域を判別する領域判別工程と、
前記判別された所定領域にウォブリングが施されたエンボスピット列を形成するエンボスピット列形成工程と、を備え、
前記エンボスピット列形成工程においては、前記エンボスピット列のウォブリング振幅は前記所定領域外における前記記録トラックのウォブリング振幅よりも大に設定されることを特徴とする情報記録媒体製造方法。
【請求項７】
前記所定領域は、前記情報記録媒体に記録される記録情報と同一フォーマットで情報が記録されている再生専用記録媒体における再生制御情報の記録領域に対応する領域を含むことを特徴とする請求項６に記載の情報記録媒体製造方法。
【請求項８】
前記所定領域及び前記再生制御情報の記録領域はリードインエリア内であることを特徴とする請求項７に記載の情報記録媒体製造方法。
【請求項９】
前記再生専用記録媒体はＤＶＤ−ＲＯＭであり、前記情報記録媒体はＤＶＤ−ＲＷであることを特徴とする請求項７に記載の情報記録媒体製造方法。
【請求項１０】
前記再生制御情報は、コントロールデータ領域の各ＥＣＣブロック内に含まれるディスク製造情報であることを特徴とする請求項７に記載の情報記録媒体製造方法。
【請求項１１】
記録情報を記録可能なウォブリングが施された記録トラックを備える情報記録媒体であって、
前記情報記録媒体の所定領域にウォブリングが施されたエンボスピット列を備え、
前記所定領域における前記エンボスピット列のウォブリング振幅は前記所定領域外における前記記録トラックのウォブリング振幅よりも大であることを特徴とする情報記録媒体。
【請求項１２】
前記所定領域は、前記情報記録媒体に記録される記録情報と同一フォーマットで情報が記録されている再生専用記録媒体における再生制御情報の記録領域に対応する領域を含むことを特徴とする請求項１１に記載の情報記録媒体。
【請求項１３】
前記所定領域及び前記再生制御情報の記録領域はリードインエリア内であることを特徴とする請求項１２に記載の情報記録媒体。
【請求項１４】
前記再生専用記録媒体はＤＶＤ−ＲＯＭであり、前記情報記録媒体はＤＶＤ−ＲＷであることを特徴とする請求項１２に記載の情報記録媒体。
【請求項１５】
前記再生制御情報は、コントロールデータ領域の各ＥＣＣブロック内に含まれるディスク製造情報であることを特徴とする請求項１２に記載の情報記録媒体。
【発明の詳細な説明】
【技術分野】
【０００１】
本発明は、ＤＶＤ等の情報記録媒体に記録されている記録情報の不正コピーを有効に防止することを可能とする情報記録媒体製造装置、情報記録媒体製造方法及び情報記録媒体の技術分野に属する。
【背景技術】
【０００２】
近年、ＤＶＤに代表される大容量の光ディスクが、映像や音声などの各種コンテンツを記録するための情報記録媒体として急速に普及しつつある。ＤＶＤ等の情報記録媒体にディジタルデータとして記録されるこれらのコンテンツは、一般に著作権により保護されるので、他の記録媒体に不正にコピーされることを防止するため、何らかの対策を施す必要がある。
【０００３】
このような対策として、情報記録媒体からコンテンツを再生する際に、所定の領域に書き込まれたキーデータを用いてスクランブルを施す方法が知られている。例えば、ＤＶＤフォーマットの場合、リードイン領域中のコントロールデータとして、このようなキーデータがコピー禁止情報と共に書き込まれている。そして、記録・再生装置においては、コピーが禁止された情報記録媒体を読み出したとき、コピー禁止情報の判別が行われる。そのため、情報記録媒体のスクランブルは解除されることがなく、情報記録媒体の不正なコピーを防止することができる。
【発明の開示】
【発明が解決しようとする課題】
【０００４】
しかしながら、上述のようにコピーが禁止された情報記録媒体に対し、通常の再生処理によるのではなく、ＤＶＤ−ＲＯＭ等からＲＦ信号を読み取って、コピー禁止情報やスクランブルのキーデータの内容にかかわらず、全体的に他の情報記録媒体にハードコピーされる場合がある。最近は、１回のみ記録可能なＤＶＤレコーダブル（ＤＶＤ−Ｒ）や繰り返し記録可能なＤＶＤリライタブル（ＤＶＤ−ＲＷ）が実現しているので、上述のＲＦ信号をＤＶＤ−ＲやＤＶＤ−ＲＷに書き込むことにより、元の情報記録媒体と同じデータ内容の光ディスクができることになり、その結果、著作権が侵害されることになる。
【０００５】
そこで、本発明は上述した問題に鑑みなされたものであり、情報記録媒体からＲＦ信号を読み取ってハードコピーしようとする場合であっても、情報記録媒体の不正コピーを有効に防止することができる書き込み可能な情報記録媒体、該情報記録媒体を製造する情報記録媒体製造装置及び情報記録媒体製造方法を提供することを目的とする。
【課題を解決するための手段】
【０００６】
上述した課題を解決するため、本願の一つの観点において請求項１に記載の情報記録媒体製造装置は、記録情報を記録可能なウォブリングが施された記録トラックを備える情報記録媒体を製造するためのスタンパディスクを形成する情報記録媒体製造装置であって、前記スタンパディスク上の所定領域にウォブリングが施されたエンボスピット列を形成するエンボスピット列形成手段と、前記所定領域における前記エンボスピット列のウォブリング振幅を前記所定領域外における前記記録トラックのウォブリング振幅よりも大に設定するウォブリング振幅設定手段と、を備えることを特徴とする。
【０００７】
また、本願の他の観点において請求項６に記載の情報記録媒体製造方法は、記録情報を記録可能なウォブリングが施された記録トラックを備える情報記録媒体を製造するためのスタンパディスクを形成する情報記録媒体製造方法であって、前記スタンパディスク上の所定領域を判別する領域判別工程と、前記判別された所定領域にウォブリングが施されたエンボスピット列を形成するエンボスピット列形成工程と、を備え、前記エンボスピット列形成工程においては、前記エンボスピット列のウォブリング振幅は前記所定領域外における前記記録トラックのウォブリング振幅よりも大に設定されることを特徴とする。
【０００８】
また更に、本願の他の観点において請求項１１に記載の情報記録媒体は、記録情報を記録可能なウォブリングが施された記録トラックを備える情報記録媒体であって、前記情報記録媒体の所定領域にウォブリングが施されたエンボスピット列を備え、前記所定領域における前記エンボスピット列のウォブリング振幅は前記所定領域外における前記記録トラックのウォブリング振幅よりも大であることを特徴とする。
【発明を実施するための最良の形態】
【０００９】
以下、本発明の好適な実施の形態を図面に基づいて説明する。以下の実施の形態では、ＤＶＤ−ＲやＤＶＤ−ＲＷを製造するためのスタンパディスクをカッティングする情報記録媒体製造装置、及び、ＤＶＤ−Ｒに記録情報の記録及び再生を行う情報記録再生装置に対して、本発明を適用した場合を説明する。
【００１０】
最初に、本実施形態に係るＤＶＤ−ＲＷの記録フォーマットについて図１〜図５を参照して説明する。なお、以下の説明はＤＶＤ−Ｒについても同様に当てはまる。
【００１１】
図１は、本実施形態に係る情報記録媒体としてのＤＶＤ−ＲＷの情報記録面の構成を示す図である。図１に示すように、ＤＶＤ−ＲＷ１０の情報記録面は、ＤＶＤ−ＲＷ１０が回転する際に固定するためのクランプ孔１２が中心に設けられると共に、その周辺部には中心から順に、リードイン領域１３、データ領域１４、リードアウト領域１５の各領域が設けられている。リードイン領域１３は、ＤＶＤ−ＲＷ１０の記録時、再生時において最初にアクセスされる領域であり、ＤＶＤ−ＲＷ１０に関する情報、コンテンツに対応する記録データに関する各種の情報などが記録される。データ領域１４は、記録すべきコンテンツに対応するデータを記録する領域である。例えば、記録すべきコンテンツとしては、画像データや音声データ、あるいはコンピュータ読み取り可能なデータ又はプログラムなどがある。リードアウト領域１５は、データ領域１４に後続する領域であり、リードアウト領域１５であることを示す情報が記録されている。
【００１２】
図２は、本実施形態に係るＤＶＤ−ＲＷ１０のリードイン領域１３の構造を示す図である。図２に示すリードイン領域１３は、全てのビット列をゼロとして記録されるオールゼロ領域１３ａと、このオールゼロ領域１３ａに挟まれて、スクランブルに用いる所定のピットパターンが記録されるリファレンスコード領域１３ｂが設けられている。同様に、オールゼロ領域１３ａに挟まれて、各種の制御情報が記録されるコントロールデータ領域１３ｃが設けられている。これらの領域は、それぞれアドレスが割り付けられるセクタを単位にデータが区分され、また、１６セクタ毎に１つのＥＣＣブロックを構成する。ＥＣＣブロックはエラー訂正処理の１つの単位ブロックとなっている。
【００１３】
コントロールデータ領域１３ｃでは、１９２個の連続するＥＣＣブロックが記録されている。すなわち、コントロールデータ領域１３ｃには同一の制御情報が１９２回にわたって繰り返し記録されている。
【００１４】
図３は、コントロールデータ領域１３ｃに含まれる１９２個のＥＣＣブロックのうち、先頭のＥＣＣブロックのデータ構造を示す図である。なお、他のＥＣＣブロックについても基本的なデータ構造は同様である。図３に示すように、ＥＣＣブロックは、ディスクの種別やフォーマットに関する物理フォーマット情報、ディスク製造に関するディスク製造情報、例えばコンテンツプロバイダ情報などのリザーブ情報を含んで構成されている。
【００１５】
ＥＣＣブロックは、セクタ０〜セクタ１５の１６個のセクタで構成される。このうち、先頭のセクタ０に物理フォーマット情報が記録され、続くセクタ１にディスク製造情報が記録され、それ以降のセクタ３〜セクタ１５はリザーブ情報に割り当てられている。
【００１６】
本実施形態では、上述のように構成されたコントロールデータ領域１３ｃのＥＣＣブロックにおける所定の領域をプリ記録領域として定め、予め定められるプリ記録データを例えばエンボスピット列としてプリ記録領域に形成することにより、情報記録媒体のコピー防止のための対策を施している。
【００１７】
図４は、コントロールデータ領域１３ｃのＥＣＣブロックにおいて、先頭付近の更に詳細なデータ構造を示す図である。すなわち、各セクタは、９２バイトごとに先頭にシンクコードが挿入されたシンクフレームに区分され、１つのセクタが全部で２６個のシンクフレームから構成される。図４においては、第１シンクフレームＳＦ１〜第２６シンクフレームＳＦ２６として示している。
【００１８】
また、各シンクフレームは２つごとに行として組み合わされ、セクタ中の最後の行にＰＯ（Parity Out）パリティが付加されると共に、それぞれの行にはＰＩ（Parity In）パリティが付加される。ＰＯパリティとＰＩパリティは、ＥＣＣブロックにおける誤り検査用の外符号として用いられる。
【００１９】
そして本実施形態では、図４に示すように、リンクスタートポイントＳＰからリンクエンドポイントＥＰまでの範囲をプリ記録領域として定めている。そして、リンクスタートポイントＳＰは、各ＥＣＣブロックにおけるセクタ０の第２１シンクフレームＳＦ２１の１６バイト目に、リンクエンドポイントＥＰはセクタ２の第９シンクフレームＳＦ９の１５バイト目にそれぞれ設定されている。このプリ記録領域においては、ＤＶＤ−ＲＷ１０に対し、例えば後述の処理によってエンボスピット列を形成することによりプリ記録データが記録される。あるいは、有機色素記録膜を使用したＤＶＤ−Ｒを用いる場合は、レーザ記録によってプリ記録データを記録してもよい。
【００２０】
すなわち、プリ記録データが記録されたプリ記録領域は、ユーザによって後から上書きできない領域となる。特に、コントロールデータ領域１３ｃのディスク製造情報には、ＤＶＤ−ＲＷ１０にスクランブルを施す場合に必要な情報を書き込むことができなくなるので、再生のみ可能な他のＤＶＤ−ＲＯＭ等の内容をＤＶＤ−ＲＷ１０に不正コピーした場合も、スクランブルの解除は困難となる。従って、ＤＶＤ−ＲＷ１０を不正コピーのための情報記録媒体として利用することができなくなる。一方、コピー禁止ではなくスクランブルも施されていないコンテンツであれば、他のＤＶＤ−ＲＯＭ等から本実施形態に係るＤＶＤ−ＲＷ１０に正常にコピーすることが可能である。この場合は、プリ記録領域のデータ内容とは無関係にＤＶＤ−ＲＷ１０に記録したコンテンツを再生できるからである。
【００２１】
なお、本実施形態におけるプリ記録領域は、上述の範囲に限定されるものではなく、スクランブルに関するデータ部分など、不正コピーを防止するために効果がある範囲であれば、自由に設定可能である。
【００２２】
ここで、図４に示すように、プリ記録領域のリンクスタートポイントＳＰとリンクエンドポイントＥＰは、各シンクフレームの先頭にあるシンクコードに重ならないような配置にしている。これは、プリ記録領域のリンキング部分の境界が各シンクフレームの境界に一致すると、シンクコードが確実に捕えられず、結果的にシンクフレームの境界を誤るおそれがあるためである。
【００２３】
なお、プリ記録データの内容は特に限定されず、予め定められたデータ列であれば、自由に設定可能である。例えば、オールゼロとしてもよい。ただし、プリ記録データにおいてＰＯパリティとＰＩパリティに対応するデータ部分では、以下に説明する配慮が必要となる。
【００２４】
すなわち、図４に示すように、プリ記録領域にプリ記録データを記録する場合、パリティの不整合が問題となる。特に、プリ記録領域内のＰＯパリティのデータ部分は、図４におけるプリ記録領域外の対応するデータ内容が変更されたときは適正な値に修正する必要があるのに対し、プリ記録領域にいったん記録されたＰＯパリティは変更できないため、このような不整合が生じるのである。
【００２５】
本実施形態においては、図４に示すＥＣＣブロック内で、ワーストケースとして計４つの行で不整合を生じ、パリティエラーを生じる可能性がある。具体的には、
（１）リンクスタートポイントＳＰを含む行
（２）セクタ０の最後のＰＯパリティ行
（３）セクタ１の最後のＰＯパリティ行
（４）リンクエンドポイントＥＰを含む行
である。
【００２６】
ここで、（１）、（４）のように、プリ記録領域のリンキング部分でエラーを生じるのは、記録タイミングのずれに起因する。すなわち、再生用クロックの位相が最大１８０°ずれたとき、その復帰には１．８シンクフレーム相当分の時間がかかり、データの欠落によりＰＩパリティエラーを引き起こす可能性があるためである。
【００２７】
なお、プリ記録データを記録する際にパリティの整合性をとったとしても、コントロールデータ領域１３ｃにおいては、当初は不確定なデータも存在するため、後から不整合を生じる可能性が大きい。また、上述のワーストケースでは、（２）と（３）のＰＯパリティ行では、数バイトのバイトエラーを生じる可能性があり、ＰＩパリティの訂正を施すことができなくなる可能性が大きい。なお、ＤＶＤ−ＲＷ１０の記録フォーマットにおけるＰＩエラーに対する誤り訂正能力は５バイト分である。これを超えるとＰＩエラーとなって、（２）と（３）に対応するパリティエラーを引き起こす。
【００２８】
一方、ベストケースとしては、（１）と（４）に対応するプリ記録領域のリンキング部分ではエラーを生じない（再生用クロックの位相のずれが小さい場合）。また、（２）と（３）に対応するバイトエラーがＰＩエラー訂正の範囲内となれば、ＰＯパリティ行でもパリティエラーを生じない。結局、ベストケースでは（１）〜（４）の何れのパリティエラーも生じることはない。実際には、ワーストケースとベストケースの中間に分布してパリティエラーを生じることとなる。
【００２９】
ところで、ＤＶＤ−ＲＷ１０の記録フォーマットにおけるＰＯパリティの誤り訂正能力はＥＣＣブロック内で１６行分である。従って、上述のワーストケースとして（１）〜（４）の４行分のＰＯパリティエラーが生じた場合でも、十分に訂正可能である。上述のワーストケースでは４行分のパリティエラーを生じるため、ＥＣＣブロックに対する１６行分の訂正能力が実質的に１２行分に低下することとなるが、通常の使用範囲内であれば特に問題にはならない。
【００３０】
なお、より訂正能力を犠牲にしないために、リンキング部分をＰＯパリティ行に設けてもよい。プリ記録されたＰＯパリティ行は、プリ記録されたデータ内容と、後から記録されたデータとの間でＥＣＣブロックとしての整合が取れない可能性が高い。そのため、エラーになる可能性が高くなる。また、リンキング部分を含む行は、ＰＩエラーとなる可能性が高い。そこで、リンキング部分をＰＯパリティ行に設ければ、エラーとなる可能性が高い行数を２行から１行に低減できる点で好ましい。
【００３１】
次に、上述のプリ記録データを含むＥＣＣブロックのデータ生成方法について考える。なお、ＥＣＣブロックのプリ記録データ以外のデータの大部分は、固定値として予め設定しておくことが可能であるが、上述の物理フォーマットに含まれるLast Recorded Addressの値は予め把握しておくことができない。このLast Recorded Addressは、ＤＶＤ−ＲＷ１０のデータ領域１４に記録済みのデータの範囲における最終のアドレスが記録されるので、ＤＶＤ−ＲＷ１０に記録する度に更新されるべきデータである。そこで、本実施形態では、Last Recorded Addressに予め適当な値を入れ（例えばオールゼロ）、ＥＣＣブロックの生成を行う。
【００３２】
そして、実際のＥＣＣブロックの生成方法としては、以下に説明する３通りの方法が考えられる。
【００３３】
第１の方法は、ＥＣＣブロック中、プリ記録領域を所定のプリ記録データとし、それ以外の部分を上述のデータとしてＥＣＣブロックを生成する。そして、後からＥＣＣブロックに対しLast Recorded Addressを異なる値として追記する。この場合は、既に説明したように、パリティの不整合を生ずるが、記録フォーマットにおけるエラー訂正能力に依存して、適正な処理が行われる。
【００３４】
第２の方法は、第１の方法と同様にいったんＥＣＣブロックを生成するが、後からＥＣＣブロックを追記する際に、予め把握されるプリ記録データに基づいて、パリティ生成についての逆演算を施し、ＰＯパリティの内容を新たに求めて更新した上で、ＥＣＣブロックの追記を行うものである。
【００３５】
第３の方法は、第１の方法と第２の方法を組み合わせる方法である。すなわち、ＥＣＣブロックのうち、パリティの不整合を生ずる部分を予め限定し、その領域では第２の方法による逆演算を施し、それ以外の領域では第１の方法によりＥＣＣブロックの追記を行うものである。
【００３６】
これら３通りのＥＣＣブロックの生成方法は、システムに必要なエラー訂正能力や処理の簡素化等を勘案し、適宜に選択して用いることができる。
【００３７】
（第１の実施形態）
次に、本発明の第１の実施形態について説明する。ここでは、上述のデータ構造を有するＤＶＤ−Ｒ、ＤＶＤ−ＲＷを製造する情報記録媒体製造装置としてのカッティング装置について図５〜図７を参照して説明する。第１の実施形態に係るカッティング装置は、本発明のプリ記録領域に対応するエンボスピット列が形成された光ディスクを大量生産するためのスタンパディスクを作製するための装置である。
【００３８】
図５は、第１の実施形態に係るカッティング装置の概略構成を示すブロック図である。図５に示すカッティング装置は、ランドデータ発生器２０と、パラレル／シリアル変換器２１と、プリフォーマット用エンコーダ２２と、クロック信号発生部２３と、レーザ発生装置２４と、光変調器２５と、対物レンズ２６と、スピンドルモータ２９と、回転検出器３０と、回転サーボ回路３１と、送りユニット３２と、位置検出器３３と、送りサーボ回路３４と、ＣＰＵ４０と、グルーブデータ発生器５０と、ウォブリング信号発生器５１と、可変利得アンプ５２と、スイッチ５３とにより構成されている。
【００３９】
また、スタンパディスクは、ガラス基板２７と、このガラス基板２７上にコーティングされたレジスト２８とにより構成されている。レジスト２８は、後述の光ビームＢが照射されることにより感光され、光ビームＢの強度の変化に対応した形状のピットが形成されるものである。
【００４０】
図５において、ランドデータ発生器２０は、ＣＰＵ４０の制御の下、ランドトラック、及び、予め各種制御信号を記録するために形成されるランドプリピットに対応するパラレルデータを出力する。出力されたパラレルデータは、パラレル／シリアル変換器２１によってシリアルデータに変換される。そして、このシリアルデータは、プリフォーマット用エンコーダ２２に入力され、クロック信号発生部２３から供給されるプリフォーマッティング用のクロック信号に基づいて、ランドトラックやプリピットを実際にスタンパディスク上に形成するためのランドデータ信号ＳＬが生成され、光変調器２５に出力される。
【００４１】
一方、グルーブデータ発生器５０は、ＣＰＵ４０の制御の下、グルーブトラック、及びエンボスピット列として形成されるプリ記録データを含むグルーブデータを生成し、スイッチ５３に対する制御信号として出力する。
【００４２】
また、ウォブリング信号発生器５１は、グルーブトラックに微少なうねりを与えるためのウォブリング信号を発生する。そして、ウォブリング信号は、可変利得アンプ５２によりウォブリング信号にＣＰＵ４０の制御に従って適当なゲインを付与された後、スイッチ５３に出力される。
【００４３】
このように、本実施形態において可変利得アンプ５２を設けてウォブリング信号のレベルを可変する構成としたのは、グルーブトラックのうち、プリ記録データに対応するエンボスピット列が形成されている部分のウォブリングを大きな振幅にするためである。すなわち、ウォブリングが施されたスタンパディスクにより製造された光ディスクを再生する際、エンボスピット列の分だけグルーブトラックの面積が小さくなる。そのため、グルーブトラックからの反射光のレベルが小さくなって、ウォブリング信号を含むプッシュプル信号のレベルが低下し、ウォブリング信号の抽出に支障を来す。その対策として、プッシュプル信号のレベルの低下を、可変利得アンプ５２によるゲインの調整により打ち消し、ウォブリング信号のレベルを補償するようにしたものである。
【００４４】
上述のようにスイッチ５３では、ゲインを付与されたウォブリング信号とグランドレベルが入力され、グルーブデータ発生器５０から出力されるグルーブデータに基づいて切り換え制御が行われる。これにより、実際にスタンパディスク上にグルーブトラックの形状を形成するためのグルーブデータ信号ＳＧを光変調器２５に出力する。
【００４５】
レーザ発生装置２４は、スタンパディスクに対してランドトラックとグルーブトラックを形成するための光ビームＢを出射する。出射された光ビームＢは、光変調器２５によって上述のランドデータ信号ＳＬ及びグルーブデータ信号ＳＧを用いて変調を施され、対物レンズ２６を介してスタンパディスク上に集光される。
【００４６】
このとき、スピンドルモータ２９がスタンパディスクを回転させると共に、回転検出器３０がスタンパディスクの回転を検出する。これにより、回転サーボ回路３１がスタンパディスクの回転を制御すると共に、回転に同期した回転パルスを出力する。
【００４７】
位置検出器３３は、送りユニット３２の位置を検出し、その検出信号を送りサーボ回路３４に出力する。送りサーボ回路３４は、位置検出器３３からの検出信号に基づいて、送りユニット３２の位置情報を取得し、これにより送りユニット３２の移動をサーボ制御する。
【００４８】
以上のような動作が行われることにより、螺旋状のトラックとエンボスピット列に対応する凹凸形状がスタンパディスク上に形成され、光ディスク製造のための抜き型としてのスタンパディスクが完成することになる。その後は、スタンパディスクを用いたレプリケーションプロセスが実行され、本発明に係るエンボスピット列を有するレプリカディスクとしての光ディスクが大量生産される。
【００４９】
次に、第１の実施形態に係るカッティング装置において行われるスタンパディスクのカッティング処理について、図６及び図７に示すフローチャートを参照して説明する。なお、この処理は図示しないメモリ手段に格納される制御プログラムに従って、主にＣＰＵ４０により行われる。
【００５０】
図６に示すように、カッティング装置における処理が開始されると、ランドデータ発生器２０とグルーブデータ発生器５０に対する初期化が行われ（ステップＳ１）、所定のデータが設定される。次いで、位置検出器３３から出力される検出信号に基づいて、光ビームのディスク半径方向での照射位置を検出する（ステップＳ２）。
【００５１】
このとき、ステップＳ２において検出された照射位置に基づいて、スタンパディスク上の記録終了位置に達したか否かを判定する（ステップＳ３）。すなわち、照射される光ビームがスタンパディスクのリードアウト領域１５の最外周部に位置するかどうかが判定される。
【００５２】
その結果、記録終了位置に達したと判定されると（ステップＳ３；ＹＥＳ）、回転サーボ回路３１から出力される回転パルスの検出を行う（ステップＳ４）。すなわち、判定された記録終了位置において、情報の記録終了位置に対応する１周分のプリピットが記録されたかどうかが判定するものである。
【００５３】
ステップＳ４における処理は、回転パルスが検出されるまで継続され（ステップＳ４；ＮＯ）、回転パルスが検出されたときは（ステップＳ４；ＹＥＳ）、ＣＰＵ４０からランドデータ発生器２０とグルーブデータ発生器５０に対し、書き込みの終了を指示する制御信号を送出する。これにより、ランドデータとグルーブデータを用いた書き込み処理が終了する。
【００５４】
一方、ステップＳ３の判定の結果、記録終了位置に達していない場合は（ステップＳ３；ＮＯ）、スタンパディスク上の記録開始位置に達したか否かを判定する（ステップＳ６）。すなわち、照射される光ビームがスタンパディスクのリードイン領域１３の最内周部に位置するかどうかが判定される。
【００５５】
その結果、記録開始位置に達したと判定されると（ステップＳ６；ＹＥＳ）、回転サーボ回路３１から出力される回転パルスの検出を行う（ステップＳ７）。すなわち、判定された記録開始位置において、スタンパディスクの１周につき１箇所設定されている周方向の記録基準位置に達したかどうかを判定する。
【００５６】
ステップＳ７における処理は、回転パルスが検出されるまで継続され（ステップＳ７；ＮＯ）、回転パルスが検出されたときは（ステップＳ７；ＹＥＳ）、ＣＰＵ４０からランドデータ発生器２０とグルーブデータ発生器５０に対し、書き込みの開始を指示する制御信号を送出する。これにより、ランドデータとグルーブデータを用いた書き込み処理の準備が整い、ステップＳ２以降の処理を繰り返す。
【００５７】
一方、ステップＳ６の判定の結果、記録開始位置に達していない場合は（ステップＳ６；ＮＯ）、ステップＳ１１（図７）に移行する。図７に示すように、ステップＳ１１では、ステップＳ２において検出された照射位置に基づいて、スタンパディスク上において基準とすべき所定位置に達したか否かを判定する。この所定位置はスタンパディスク上のリードイン領域１３に予め設定されており、これを基準として後述のデータ書き込みの位置が判断できる。
【００５８】
その結果、まだ所定位置に達していないと判定されると（ステップＳ１１；ＮＯ）、ステップＳ２に戻って同様の処理を繰り返す。一方、所定位置に達していると判定されると（ステップＳ１１；ＹＥＳ）、回転サーボ回路３１から出力される回転パルスの検出を行い（ステップＳ１２）、スタンパディスクの１周分において上記所定位置に対応するタイミングを判別する。ステップＳ１２の処理は、回転パルスが検出されるまで継続される（ステップＳ１２；ＮＯ）。
【００５９】
ステップＳ１２において回転パルスが検出されると（ステップＳ１２；ＹＥＳ）、ＣＰＵ４０が制御する計時手段を用いて計時を開始する（ステップＳ１３）。すなわち、上記所定位置を基準として、本実施形態に係るプリ記録データのリンクスタートポイントＳＰに達するタイミングを判別するための計時を行うものである。
【００６０】
そして計時の結果、予め設定された所定時間が経過したか否かを判断する（ステップＳ１４）。この所定時間は、上記基準位置とリンクスタートポイントＳＰとの関係から予め把握できる。ステップＳ１４の判断の結果、所定時間がまだ経過していない場合（ステップＳ１４；ＮＯ）、経過するまで待ち続ける。
【００６１】
一方、ステップＳ１４の判断の結果、所定時間が経過した場合（ステップＳ１４；ＹＥＳ）、プリ記録データに対応するグルーブデータ発生器５０からのデータ発生を指示する（ステップＳ１５）。すなわち、プリ記録データに応じた凹凸形状を持つエンボスピット列をスタンパディスクに形成するため、グルーブデーからプリ記録データの出力を開始する。
【００６２】
続いて、可変利得アンプ５２に対してゲインの増加を指示する（ステップＳ１６）。これは上述したように、スタンパディスク上のエンボスピット列が形成された部分でのウォブリング振幅の相対的な低下を、ウォブリング信号に対するゲインを増大させて補償するものである。なお、通常時に比べ、可変利得アンプ５２のゲインを概ね２倍程度に増加することが望ましい。
【００６３】
そして、プリ記録データに対応するエンボスピット列の形成が終了したか否かを判断する（ステップＳ１７）。この段階では、光ビームがスタンパディスク上のリンクエンドポイントＥＰに達していることになる。ステップＳ１４の判断の結果、まだエンボスピット列の形成が終了していない場合（ステップＳ１７；ＮＯ）、同様の処理を継続する。
【００６４】
一方、エンボスピット列の形成が終了した場合（ステップＳ１７；ＹＥＳ）、ステップＳ１６において増加させた可変利得アンプ５２に対し、ゲインの減少を指示して通常時のゲインに戻す（ステップＳ１８）。これにより、第１の実施形態に係るスタンパディスクに対するエンボスピット列の形成を終えることになる。
【００６５】
以上説明したように、第１の実施形態に係る情報記録媒体製造装置によれば、カッティングされたスタンパディスクのプリ記録領域には、プリ記録データに対応するエンボスビット列が形成される。よって、このスタンパディスクを用いて製造されたＤＶＤ−ＲＷ等の光ディスクにも同様のエンボスピット列が形成されることになる。そのため、製造されたＤＶＤ−ＲＷ等に、コンテンツが記録された他のＤＶＤ−ＲＯＭの内容をコピーしようとする場合、プリ記録領域にはコピーすることができない。例えば、スクランブルに関するキーデータなどは欠落することになり、適正にコンテンツが再生できなくなるので、不正コピーを有効に防止することができる。
【００６６】
また、かかるスタンパディスクの作成に際しては、エンボスピット列の形成されている部分において、ウォブリングの振幅を増大させるようにスタンパがカットされる構成となっている。このため、エンボスピット列の形成により記録トラックからの反射光が低下してウォブリング信号のレベルが低下することに対する補償を行うことが可能となる。
【００６７】
また更に、このエンボスピット列はＤＶＤ-ＲＯＭにおいて再生制御情報の記録領域に対応する領域、すなわち、リードイン領域のコントロールデータ領域に形成される。このため、この部分には別の情報を上書きすることができなくなる。特に、この情報記録媒体に対し、記録フォーマットが共通である再生専用の情報記録媒体の全データをコピーしようとする場合であっても、スクランブルのキーデータ等の再生制御に必要な情報が欠落することになるため、不正なコピーを有効に防止することができる。
【００６８】
なお、上記実施形態かかる情報記録媒体製造装置としてのカッティング装置によれば、上記各効果と共に次のような作用効果を奏することも可能となる。
【００６９】
まず、コントロールデータ領域を含むリードイン領域を有する情報記録媒体の場合、プリ記録領域の配置をコントロールデータ領域中に設定することにより、各種制御情報に対する上書きを適切に防止可能となる。
【００７０】
また、ＤＶＤフォーマットに従った情報記録媒体を用いる場合は、プリ記録領域の配置をコントロールデータ領域の所定の制御情報をカバーすると共に、複数の同一構造のＥＣＣブロックが繰り返されているときは、これら全てにわたって同一の配置を繰り返すように設定することにより、例えばディスク製造情報にスクランブルのキーデータ等が書き込まれている情報記録媒体からの不正なコピーを有効に防止することが可能となる。
【００７１】
また更に、プリ記録領域の境界は、それぞれのＥＣＣブロックをシンクフレームに分割したときに先頭に設けられるシンクコードと重ならないように設定することにより、再生処理の際、シンクコードを確実に捕えることが可能となる。
【００７２】
更に、本実施形態にかかる情報記録媒体製造装置において製造される情報記録媒体によれば、次のような作用効果を奏することも可能となる。
【００７３】
すなわち、この情報記録媒体によれば、データを１回又は繰り返し記録可能なＤＶＤ−ＲやＤＶＤ−ＲＷなどの情報記録媒体において、プリ記録領域においてプリ記録データに対応するエンボスピット列が形成されている。よって、この部分には別の記録情報を上書きすることができなくなるのである。特に、この情報記録媒体に対し、記録フォーマットが共通である再生専用の情報記録媒体の全データをコピーしようとする場合であっても、スクランブルのキーデータ等の再生制御に必要な情報が欠落することになるため、不正なコピーを有効に防止することができる。
【００７４】
また、この情報記録媒体がコントロールデータ領域を含むリードイン領域を有する構成である場合、プリ記録領域の配置をコントロールデータ領域中に設定することにより、各種制御情報に対する上書きを適切に防止可能となる。
【００７５】
また更に、この情報記録媒体にＤＶＤフォーマットに従って記録情報が記録されている場合は、プリ記録領域の配置をコントロールデータ領域の所定の制御情報をカバーすると共に、複数の同一構造のＥＣＣブロックが繰り返されているときは、これら全てにわたって同一の配置を繰り返すように設定することにより、例えばディスク製造情報にスクランブルのキーデータ等が書き込まれている情報記録媒体からの不正なコピーを有効に防止することが可能となる。
【００７６】
更に、プリ記録領域の境界は、それぞれのＥＣＣブロックをシンクフレームに分割したときに先頭に設けられるシンクコードと重ならないように設定することにより、この情報記録媒体を再生する際、シンクコードを確実に捕えることが可能となる。
【００７７】
（第２の実施形態）
次に、本発明の第２の実施形態について説明する。ここでは、記録情報を１回書き込み可能なＤＶＤ−Ｒに対する記録と再生を行う情報記録再生装置について図８〜図１１を参照して説明する。
【００７８】
図８は、第２の実施形態に係る情報記録再生装置の概略構成を示すブロック図である。図８に示す情報記録再生装置は、ピックアップ６０と、再生増幅器６１と、デコーダ６２と、プリピット信号デコーダ６３と、スピンドルモータ６４と、サーボ回路６５と、ＣＰＵ６６と、エンコーダ６７と、パワー制御回路６８と、レーザ駆動回路６９と、インターフェース７０と、ウォブリング信号抽出部７２と、プリ記録データ発生器７３と、スイッチ７４とを備えている。また、インターフェース７０を介して外部のホストコンピュータ７１が接続され、この情報記録再生装置に対して記録すべきディジタルデータが入力される構成となっている。
【００７９】
また、図８に示す情報記録媒体としてのＤＶＤ−Ｒ１１は、例えば有機色素記録膜を使用した光ディスクが用いられる。基本的な上述のＤＶＤフォーマットに従った構造を有し、グルーブトラックにはウォブリングが施されると共に、ランドトラックにはプリピットがプリフォーマットされている。ただし、第１の実施形態で述べたような、プリ記録データとしてのエンボスピット列は、まだ形成されていないものとする。
【００８０】
図８において、ピックアップ６０は、図示しないレーザダイオード、偏光ビームスプリッタ、対物レンズ、ディテクタ等を含み、光ビームＢをＤＶＤ−Ｒ１１の情報記録面に照射して記録すべきデータを１回だけ記録すると共に、光ビームＢの反射光に基づく検出信号を出力する。
【００８１】
再生増幅器６１は、ピックアップ６０から出力された検出信号を増幅すると共に、プリピットに対応するプリピット信号を出力する。
【００８２】
デコーダ６２は、増幅された検出信号に対して８−１６復調及びデインターリーブを施し、復調信号を出力する。また、プリピット信号デコーダ１３は、プリピット信号をデコードしてプリピットのパターンに対応するディジタルデータを出力する。
【００８３】
サーボ回路６５は、デコーダ６２からの復調信号に基づいて、ピックアップ６０におけるフォーカスサーボ制御とトラッキングサーボ制御を行う。また、サーボ回路６５は、後述のウォブリング信号に基づいてスピンドルモータ６４の回転を制御するための制御信号を出力する。
【００８４】
ＣＰＵ６６は、情報記録再生装置全体を総括的に制御すると共に、デコーダ６２とプリピット信号デコーダ６３からそれぞれ出力信号を取得し、ＤＶＤ−Ｒ１１に対する書き込み及び再生の動作を制御する。
【００８５】
エンコーダ６７は、図示しないＥＣＣジェネレータ、８−１６変調部、スクランブラ等を含み、再生時のエラー訂正単位であるＥＣＣブロックを構成し、ＥＣＣブロックに対してインターリーブ、８−１６変調及びスクランブル処理を施して変調信号を生成する。
【００８６】
パワー制御回路６８は、エンコーダ６７から出力された変調信号に基づいて、ピックアップ６０内のレーザダイオードのパワー制御を行う。
【００８７】
レーザ駆動回路６９は、光ビームＢを出射させるため、パワー制御回路６８の制御の下、ピックアップ６０のレーザダイオードを駆動する。
【００８８】
インターフェース７０は、ホストコンピュータ７１から送信されるディジタルデータを情報記録再生装置に取り込むためのインターフェース動作を行う。
【００８９】
ウォブリング信号抽出部７２は、再生増幅器６１から出力されるプリピット信号に含まれるグルーブトラックのウォブリング信号を抽出し、サーボ回路６５に出力する。
【００９０】
プリ記録データ発生器７３は、本実施形態に係るＤＶＤ−Ｒ１１のプリ記録領域に書き込むためのプリ記録データに対応するディジタルデータを発生し、スイッチ７４を介してエンコーダ６７に出力する。
【００９１】
スイッチ７４は、ＣＰＵ６６の制御によって、エンコーダ６７に出力される信号を、通常の記録時はホストコンピュータ７１側に、プリ記録時はデータ発生器７３側になるように経路を切り換える。
【００９２】
次に、第２の実施形態に係る情報記録再生装置において行われる記録処理について、特にレーザパワーの制御に着目し、図９〜図１１を参照して説明する。図９は、ＤＶＤ−Ｒ１１に対するプリ記録データのレーザ記録による記録処理を示すフローチャートである。図１０は、プリ記録データを記録済みのＤＶＤ−Ｒ１１に対するデータ記録処理を示すフローチャートである。また、図１１は、レーザパワーの制御を行うため、パワー制御回路６８において用いられる２種のパターンを示す図である。なお、図９及び図１０に示す処理は、メモリ手段に格納される制御プログラムに従って、主にＣＰＵ６０により行われる。
【００９３】
ここでは、情報記録再生装置において、エンボスピット列が形成されていないＤＶＤ−Ｒ１１がセットされた状態で、リードイン領域１３へのプリ記録データの書き込みを行う場合の説明を行う。従って、プリ記録データに先立って記録すべきデータのリードイン領域１３への書き込みが開始された状況を考える。
【００９４】
図９に示すように、処理が開始されると、光ビームＢの照射位置に基づいて、ＤＶＤ−Ｒ１１上において基準とすべき所定のアドレスに達したか否かを判定する（ステップＳ２１）。この所定のアドレスはＤＶＤ−Ｒ１１上のリードイン領域１３において、例えばプリピットに予め記録されている。よって、記録されているアドレスを読み出すことで、後述のプリ記録データを書き込むべき位置を判断することができる。
【００９５】
その結果、まだ所定のアドレスに達していないと判定されると（ステップＳ２１；ＮＯ）、ステップＳ２１に戻って同様の処理を繰り返す。一方、所定のアドレスに達していると判定されると（ステップＳ２１；ＹＥＳ）、ＣＰＵ６６が制御する計時手段を用いて計時を開始する（ステップＳ２２）。すなわち、上記所定のアドレスを基準位置として、本実施形態に係るプリ記録データのリンクスタートポイントＳＰに対応するスタートアドレスに達するタイミングを判別するための計時を行うものである。
【００９６】
そして、計時の結果、予め設定された所定時間が経過したか否かを判断する（ステップＳ２３）。この所定時間は、上記基準となるアドレスとスタートアドレスとの関係から予め把握できる。ステップＳ２３の判断の結果、所定時間がまだ経過していない場合は（ステップＳ２３；ＮＯ）、経過するまで待ち続ける。
【００９７】
一方、ステップＳ２３の判断の結果、所定時間が経過した場合は（ステップＳ２３；ＹＥＳ）、スイッチ７４を制御して、プリ記録データが出力されるように切り換える。（ステップＳ２４）。すなわち、ホストコンピュータ７１から出力されるコントロールデータ領域１３ｃに対するディジタルデータから、プリ記録データ発生器７３から出力されるプリ記録データへと接続を切り換える。この切り換えのタイミングは、コントロールデータ領域１３ｃにおけるリンクスタートポイントＳＰに一致することになる。
【００９８】
次いで、プリ記録データの記録が終了したか否かを判断する（ステップＳ２５）。この終了のタイミングは、コントロールデータ領域１３ｃにおけるリンクエンドポイントＥＰに一致することになる。
【００９９】
なお、図９では１回のプリ記録データの記録を説明したが、実際には１９２個のＥＣＣブロックにわたって同様の処理を繰り返すことになる。
【０１００】
次に、情報記録再生装置において、既にプリ記録データが記録済みであるＤＶＤ−Ｒ１１に対し、後からコントロールデータ領域１３ｃにおけるプリ記録データ以外のデータを記録する場合の処理について、図１０を用いて説明する。ここでは、対象となるＤＶＤ−Ｒ１１に記録されているプリ記録データは、第１実施形態に係る方法によりエンボスピット列として形成されている場合、あるいは、図９のフローチャートに示される方法によりレーザ記録されている場合の何れであってもよい。
【０１０１】
図１０に示すように、情報記録再生装置における記録処理が開始されると、対象となるＤＶＤ−Ｒ１１にプリ記録データが、エンボスピット列を用いて形成されているか、又はレーザ記録により書き込まれているかの何れであるかを示すフラグを読み取る（ステップＳ３１）。すなわち、上述したように、第２の実施形態においてはＤＶＤ−Ｒ１１に記録されるプリ記録データとして、エンボスピット列による場合とレーザ記録による場合の２種があるため、コントロールデータ領域１３ｃへの書き込みに際し、これを区別する手段としてＤＶＤ−Ｒ１１にフラグを設けたものである。例えば、このフラグは、コントロールデータ領域１３ｃの所定の領域に割り当てることができる。
【０１０２】
次いで、読み取ったフラグから、ＤＶＤ−Ｒ１１のプリ記録データの記録方法に応じて、行うべき処理を判断する（ステップＳ３２）。ステップＳ３２の判断の結果、ＤＶＤ−Ｒ１１にはエンボスピット列ではなくレーザ記録によりプリ記録データが書き込まれている場合は（ステップＳ３２；ＮＯ）、パワー制御回路６８におけるレーザパワー制御のパターンを、図１１（ａ）に示す第１のパターンに設定する（ステップＳ３３）。
【０１０３】
そして、第１のパターンを用いて、ＤＶＤ−Ｒ１１に対する実際の記録動作が行われ（ステップＳ３４）、記録後に処理を終える。図１１（ａ）に示すように、制御されるレーザパワーには、データを再生するための再生パワーとデータを記録するための記録パワーがある。レーザパワーの基準となるＤＣレベル、再生パワー、記録パワーの順に大きなパワーとなっていく。第１のパターンによれば、プリ記録データ以外のデータの記録を記録パワーで行う一方、プリ記録データに対する上書きを回避するために、プリ記録データの領域ではレーザパワーを再生パワーに下げるように制御する。なお、再生パワーより小さくしないのは、レーザ制御をより簡易に行うためである。
【０１０４】
一方、ステップＳ３２の判断の結果、ＤＶＤ−Ｒ１１にエンボスピット列が形成されている場合は（ステップＳ３２；ＹＥＳ）、続いてエンボスピット列に対応する検出信号の変調度の測定を行う（ステップＳ３５）。すなわち、上述したように、エンボスピット列に塗布された色素膜の影響によってプリ記録データを再生する際の変調度が低下する場合があるため、後述の対策を施すため、この段階で変調度を確認しておくのである。
【０１０５】
次いで、測定された変調度の大小を判断する（ステップＳ３６）。その結果、変調度が大きいと判断されたときは（ステップＳ３６；ＹＥＳ）、特に対策は不要であるため、レーザパワー制御のパターンを上述の第１のパターンに設定する（ステップＳ３３）。一方、変調度が小さいと判断されたときは（ステップＳ３６；ＮＯ）、その対策として、レーザパワー制御のパターンを、図１１（ｂ）に示す第２のパターンに設定する（ステップＳ３７）。
【０１０６】
そして、第２のパターンを用いて、ＤＶＤ−Ｒ１１に対する実際の記録動作が行われ（ステップＳ３８）、記録後の処理を終える。第２のパターンによれば、プリ記録データ以外のデータの記録を記録パワーで行い、同様に、プリ記録データの領域でも記録パワーに保持するように制御する。これにより、エンボスピット列そのものは影響を受けないが、エンボスピット列上の色素膜を除去してプリ記録データを再生する際の変調度を回復することができる。
【０１０７】
以上説明したように、第２の実施形態に係る情報記録再生装置によれば、当初エンボスビット列が形成されていないＤＶＤ−Ｒに、後からプリ記録データの記録が行われる。そのため、第１実施形態の場合と同様、コンテンツが記録された他のＤＶＤ−ＲＯＭの内容をコピーしようとする場合、プリ記録領域にはコピーすることができなくなり、不正コピーを有効に防止することができる。
【０１０８】
すなわち、この情報記録再生装置においては情報記録媒体に記録を行うのに先立って、プリ記録領域を判別し、このプリ記録領域にエンボスピット列が形成されていない場合には、レーザ記録によりプリ記録データの書き込みを行う。すると、この情報記録媒体は記録情報の書き込みを１回しかできないので、プリ記録領域に別の記録情報を上書きすることができなくなる。特に、この情報記録媒体に対し、記録フォーマットが共通である再生専用の情報記録媒体の全データをコピーしようとする場合であっても、スクランブルのキーデータ等の再生制御に必要な情報が欠落することになるため、不正なコピーを有効に防止することができる。
【０１０９】
また、この情報記録再生装置は、プリ記録データが既に記録されている情報記録媒体に記録を行う際、このプリ記録データがエンボスピット列とレーザ記録の何れによる記録されているかを、例えば所定のフラグを読み取るなどして判定し、さらにエンボスピット列に基づく検出信号の変調度の大小をも確認する構成となっている。そして、エンボスピットが形成され、かつ、変調度が小さいときには、光ビームを記録パワーに保ち、それ以外は光ビームを例えば再生パワーなどの記録パワーより十分小さい所定のパワーに保つよう制御を行う。よって、エンボスピット列に塗布された色素膜の影響によるプリ記録データの検出信号における変調度の低下を有効に防止することができる。
【０１１０】
また更に、この情報記録再生装置においてコントロールデータ領域を含むリードイン領域を有する情報記録媒体を用いる場合には、プリ記録領域の配置をコントロールデータ領域中に設定するにより、各種制御情報に対する上書きを適切に防止可能となる。
【０１１１】
更に、この情報記録再生装置において、ＤＶＤフォーマットに従った情報記録媒体を用いる場合は、プリ記録領域の配置をコントロールデータ領域の所定の制御情報をカバーすると共に、複数の同一構造のＥＣＣブロックが繰り返されているときは、これら全てにわたって同一の配置を繰り返すように設定することにより、例えばディスク製造情報にスクランブルのキーデータ等が書き込まれている情報記録媒体からの不正なコピーを有効に防止することができる。
【０１１２】
更にまた、情報記録媒体のプリ記録領域の境界は、それぞれのＥＣＣブロックをシンクフレームに分割したときに先頭に設けられるシンクコードと重ならないように設定することにより、再生処理の際、シンクコードを確実に捕えることができる。
【０１１３】
また、本実施形態にかかる情報記録再生装置において採用されている方法によれば、エンボスピット列に塗布された色素膜の影響によるプリ記録データの検出信号における変調度の低下を有効に防止することができる。
【０１１４】
また更に、この方法によれば、各種制御情報に対する上書きを適切に防止可能となり、例えばディスク製造情報にスクランブルのキーデータ等が書き込まれている情報記録媒体からの不正なコピーを有効に防止することができ、再生処理の際、シンクコードを確実に捕えることができる。
【０１１５】
更に、この方法によれば、プリ記録データに起因してＥＣＣブロック生成時のパリティの不整合がある場合でも、データ追記の際に不具合を生じることなく、有効に不正コピーが防止される。
【０１１６】
更にまた、この方法によれば、プリ記録データに起因するＥＣＣブロック生成時のパリティの不整合が解消されるので、データ追記の際にエラー訂正能力を十分に保持しつつ、有効に不正コピーが防止される。
【０１１７】
また、この方法によれば、プリ記録データに起因するＥＣＣブロック生成時のパリティの不整合が、簡易な処理により解消されるので、データ追記の際にエラー訂正能力を十分に保持しつつ、簡易かつ有効に不正コピーが防止される。
【図面の簡単な説明】
【０１１８】
【図１】本実施形態に係るＤＶＤ−ＲＷの情報記録面の構成を示す図である。
【図２】本実施形態に係るＤＶＤ−ＲＷのリードイン領域の構造を示す図である。
【図３】コントロールデータ領域において、先頭のＥＣＣブロックのデータ構造を示す図である。
【図４】コントロールデータ領域のＥＣＣブロックの先頭付近における詳細なデータ構造を示す図である
【図５】第１の実施形態に係るカッティング装置の概略構成を示すブロック図である。
【図６】第１の実施形態において、スタンパディスクのカッティング処理を説明するフローチャートである。
【図７】第１の実施形態において、スタンパディスクのカッティング処理のうち、記録開始位置に達していない場合の処理を説明するフローチャートである。
【図８】第２の実施形態に係る情報記録再生装置の概略構成を示すブロック図である。
【図９】第２の実施形態において、ＤＶＤ−Ｒに対するプリ記録データの記録処理を説明するフローチャートである。
【図１０】第２の実施形態においてプリ記録データを記録済みのＤＶＤ−Ｒに対するデータ記録処理を説明するフローチャートである。
【図１１】パワー制御回路において用いられる２種のレーザパワー制御用の２種のパターンを示す図である。
【符号の説明】
【０１１９】
１０…ＤＶＤ−ＲＷ
１１…ＤＶＤ−Ｒ
１２…クランプ孔
１３…リードイン領域
１３ａ…オールゼロ領域
１３ｂ…リファレンスコード領域
１３ｃ…コントロールデータ領域
１４…データ領域
１５…リードアウト領域
２０…ランドデータ発生器
２１…パラレル／シリアル発生器
２２…プリフォーマット用エンコーダ
２３…クロック信号発生部
２４…レーザ発生装置
２５…光変調器
２６…対物レンズ
２７…ガラス基板
２８…レジスト
２９…スピンドルモータ
３０…回転検出器
３１…回転サーボ回路
３２…送りユニット
３３…位置検出器
３４…送りサーボ回路
４０…ＣＰＵ
５０…グルーブデータ発生器
５１…ウォブリング信号発生器
５２…可変利得アンプ
５３…スイッチ
６１…再生増幅器
６２…デコーダ
６３…プリピット信号デコーダ
６４…スピンドルモータ
６５…サーボ回路
６６…ＣＰＵ
６７…エンコーダ
６８…パワー制御回路
６９…レーザ駆動回路
７０…インターフェース
７１…ホストコンピュータ
７２…ウォブリング信号抽出部
７３…プリ記録データ発生器
７４…スイッチ
【図１】
2004296084.tif 000003
【図２】
2004296084.tif 000004
【図３】
2004296084.tif 000005
【図４】
2004296084.tif 000006
【図５】
2004296084.tif 000007
【図６】
2004296084.tif 000008
【図７】
2004296084.tif 000009
【図８】
2004296084.tif 000010
【図９】
2004296084.tif 000011
【図１０】
2004296084.tif 000012
【図１１】
2004296084.tif 000013